(57)【特許請求の範囲】
【請求項１】
沸騰水型原子炉（ＢＷＲ）の一次格納容器（１）に流体連通している格納容器ベントライン（１０１）と、
前記格納容器ベントライン（１０１）の中の１つまたは複数の格納容器弁（１０２ａ、１０２ｂ）と、
前記１つまたは複数の格納容器弁（１０２ａ、１０２ｂ）の下流に位置付けされている、前記格納容器ベントライン（１０１）の中の第１および第２の圧力作動式のデバイス（１０４、１０８）と、
を含み、
第２の圧力作動式のデバイス（１０８）は、第１の圧力作動式のデバイス（１０４）よりも低い設定点圧力を有し、
第１の圧力作動式のデバイス（１０４）をバイパスするバイパス弁（１０６）を有し、
第２の圧力作動式のデバイス（１０８）をバイパスするバイパス弁（１０６）を有しない、
格納容器ベントシステム（１００）。
【請求項２】
前記格納容器ベントライン（１０１）の遠位端部における排出点（１１４）であって、前記排出点（１１４）は、前記ＢＷＲの一次格納容器（１）の境界から遠隔の、前記ＢＷＲの一次格納容器（１）より高い場所に位置付けされている、排出点（１１４）
をさらに含む、請求項１に記載の格納容器ベントシステム（１００）。
【請求項３】
前記１つまたは複数の格納容器弁（１０２ａ、１０２ｂ）が、空気アクチュエーターを備えるボール弁、空気アクチュエーターを備えるバタフライ弁、および、モーターアクチュエーターを備えるバタフライ弁のうち少なくとも１つを含む、請求項１または２に記載の格納容器ベントシステム（１００）。
【請求項４】
前記第１の圧力作動式のデバイス（１０４、１０８）が、第１の圧力設定点ラプチャーディスク（１０４）を含む、請求項１から３のいずれかに記載の格納容器ベントシステム（１００）。
【請求項５】
前記第２の圧力作動式のデバイス（１０４、１０８）が、第２の圧力設定点ラプチャーディスク（１０８）をさらに含み、
前記第２の圧力設定点ラプチャーディスク（１０８）が、前記第１の圧力設定点ラプチャーディスク（１０４）の下流に位置付けされており、
前記第２の圧力設定点ラプチャーディスク（１０８）が、前記第１の圧力設定点ラプチャーディスク（１０４）よりも低い設定点圧力を有している、
請求項４に記載の格納容器ベントシステム（１００）。
【請求項６】
前記格納容器ベントライン（１０１）の中のバイパス弁（１０６）であって、前記バイパス弁（１０６）は、前記第１の圧力設定点ラプチャーディスク（１０４）の周りの流体バイパスを提供する、バイパス弁（１０６）
をさらに含む、請求項５に記載の格納容器ベントシステム（１００）。
【請求項７】
前記格納容器ベントライン（１０１）の中の放射線モニター（１１０）であって、前記放射線モニター（１１０）は、前記格納容器ベントライン（１０１）を通って流れる流体の放射線レベルを測定するように構成されている、放射線モニター（１１０）
をさらに含む、請求項１から６のいずれかに記載の格納容器ベントシステム（１００）。
【請求項８】
前記一次格納容器（１）のウェットウェル（４）に接続されているウェットウェルベントライン（１２）と、
前記ウェットウェルライン（１２）の中の内側および外側格納容器隔離弁（ＣＩＶ）（３ａ、３ｂ）と
をさらに含む、
請求項１から７のいずれかに記載の格納容器ベントシステム（１００）。
【請求項９】
前記格納容器ベントライン（１０１）の中の前記格納容器弁（１０２ａ、１０２ｂ）が、１つだけの格納容器弁を有し、
前記格納容器ベントライン（１０１）が、前記内側ＣＩＶ（３ａ）と前記外側ＣＩＶ（３ｂ）との間で、前記ウェットウェルベントライン（１２）に流体接続されている、請求項８に記載の格納容器ベントシステム（１００）。
【請求項１０】
前記格納容器ベントライン（１０１）が、前記内側および外側ＣＩＶ（３ａ、３ｂ）の上流で、前記ウェットウェルベントライン（１２）に流体接続されている、請求項８または９に記載の格納容器ベントシステム（１００）。
【請求項１１】
前記格納容器ベントライン（１０１）の中の前記格納容器弁（１０２ａ、１０２ｂ）が、１つだけの格納容器弁を有する、請求項１０に記載の格納容器ベントシステム（１００）。
【請求項１２】
前記格納容器ベントライン（１０１）の中の前記１つまたは複数の格納容器弁（１０２ａ、１０２ｂ）は、２つの格納容器弁を有する、請求項１０に記載の格納容器ベントシステム（１００）。
【請求項１３】
前記格納容器ベントシステム（１００）は、前記格納容器ベントライン（１０１）の中のベントフィルター（１１６）をさらに含み、
前記ベントフィルター（１１６）は、前記第２の圧力設定点ラプチャーディスク（１０８）と前記第１の圧力設定点ラプチャーディスク（１０４）との間に位置付けされており、
前記ベントフィルター（１１６）は、ウェットフィルター（１１８）、および、前記ウェットフィルター（１１８）の中の化学添加剤を含む、
請求項５に記載の格納容器ベントシステム（１００）。
【請求項１４】
沸騰水型原子炉（ＢＷＲ）用の格納容器ベントシステム（１００）を作製する方法であって、
格納容器ベントライン（１０１）を前記ＢＷＲの一次格納容器（１）に流体接続させるステップと、
１つまたは複数の格納容器弁（１０２ａ、１０２ｂ）を前記格納容器ベントライン（１０１）の中に挿入するステップと、
第１および第２の圧力作動式のデバイス（１０４、１０８）を前記格納容器ベントライン（１０１）の中に挿入するステップであって、前記圧力作動式のデバイス（１０４、１０８）は、前記格納容器弁（１０２ａ、１０２ｂ）の下流に位置付けされている、ステップと
を含み、
第２の圧力作動式のデバイス（１０８）は、第１の圧力作動式のデバイス（１０４）よりも低い設定点圧力を有し、
第１の圧力作動式のデバイス（１０４）をバイパスするバイパス弁（１０６）を有し、
第２の圧力作動式のデバイス（１０８）をバイパスするバイパス弁（１０６）を有しない、
沸騰水型原子炉（ＢＷＲ）用の格納容器ベントシステム（１００）を作製する方法。
【請求項１５】
前記格納容器ベントライン（１０１）の排出端部を、前記一次格納容器（１）から遠隔の、前記ＢＷＲの一次格納容器（１）より高い場所に位置付けするステップ
をさらに含む、請求項１４に記載の方法。
【請求項１６】
前記第１の圧力作動式のデバイス（１０４、１０８）が、第１の圧力設定点ラプチャーディスク（１０４）を含む、請求項１４または１５に記載の方法。
【請求項１７】
前記第２の圧力作動式のデバイス（１０４、１０８）が、第２の圧力設定点ラプチャーディスク（１０８）をさらに含み、
前記第２の圧力設定点ラプチャーディスク（１０８）が、前記第１の圧力設定点ラプチャーディスク（１０４）の下流に位置付けされており、
前記第２の圧力設定点ラプチャーディスク（１０８）が、前記第１の圧力設定点ラプチャーディスク（１０４）よりも低い設定点圧力を有している、
請求項１６に記載の方法。
【請求項１８】
前記格納容器ベントライン（１０１）の中にバイパス弁（１０６）を挿入するステップであって、前記バイパス弁（１０６）は、前記第１の圧力設定点ラプチャーディスク（１０４）の周りの流体バイパスを提供する、ステップ
をさらに含む、請求項１７に記載の方法。
【請求項１９】
前記格納容器ベントライン（１０１）の中に放射線モニター（１１０）を挿入するステップであって、前記放射線モニター（１１０）は、前記格納容器ベントライン（１０１）を通って流れる流体の放射線レベルを測定するように構成されている、ステップをさらに含む、請求項１４から１８のいずれかに記載の方法。
【請求項２０】
前記方法が、前記格納容器ベントライン（１０１）の中にベントフィルター（１１６）を挿入するステップをさらに含み、
前記ベントフィルター（１１６）は、前記第２の圧力設定点ラプチャーディスク（１０８）と前記第１の圧力設定点ラプチャーディスク（１０４）との間に位置付けされており、
前記ベントフィルター（１１６）は、ウェットフィルター（１１８）、および、前記ウェットフィルター（１１８）の中の化学添加剤を含む、
請求項１７に記載の方法。
【請求項２１】
格納容器ベントシステム（１００）を使用して沸騰水型原子炉（ＢＷＲ）の一次格納容器（１）から流体をベントする方法であって、
格納容器ベントライン（１０１）を前記ＢＷＲの前記一次格納容器（１）に流体接続させるステップと、
１つまたは複数の格納容器弁（１０２ａ、１０２ｂ）を前記格納容器ベントライン（１０１）の中に挿入するステップと、
第１および第２のラプチャーディスク（１０４、１０８）を前記格納容器ベントライン（１０１）の中に挿入するステップであって、前記ラプチャーディスク（１０４、１０８）は、前記格納容器弁（１０２ａ、１０２ｂ）の下流に位置付けされている、ステップと、
前記格納容器ベントシステム（１００）を受動モードに置くために前記格納容器弁（１０２ａ、１０２ｂ）を開けるステップと、
を含み、
第２のラプチャーディスク（１０８）は、第１のラプチャーディスク（１０４）よりも低い設定点圧力を有し、
第１のラプチャーディスク（１０４）をバイパスするバイパス弁（１０６）を有し、
第２のラプチャーディスク（１０８）をバイパスするバイパス弁（１０６）を有しない、
格納容器ベントシステム（１００）を使用して沸騰水型原子炉（ＢＷＲ）の一次格納容器（１）から流体をベントする方法。
【請求項２２】
前記格納容器ベントライン（１０１）の排出端部を、前記一次格納容器（１）から遠隔の、前記ＢＷＲの一次格納容器（１）より高い場所に位置付けするステップと、
ベントされた前記流体を前記一次格納容器（１）から前記遠隔の場所へ排出させるステップと、
をさらに含む、請求項２１に記載の方法。
【請求項２３】
前記格納容器ベントライン（１０１）の中に放射線モニター（１１０）を挿入するステップと、
前記放射線モニター（１１０）を使用して、ベントされた前記流体の放射線レベルをモニタリングするステップと
をさらに含む、請求項２１または２２記載の方法。
【請求項２４】
前記方法が、前記格納容器ベントライン（１０１）の中にベントフィルター（１１６）を挿入するステップであって、前記ベントフィルター（１１６）は、前記第２のラプチャーディスク（１０８）と前記第１のラプチャーディスク（１０４）との間に位置付けされている、ステップと、
前記ベントフィルター（１１６）を使用して、ベントされた前記流体を洗浄するステップと、
をさらに含む、請求項２３に記載の方法。
【発明の詳細な説明】
【技術分野】
【０００１】
例示的な実施形態は、概して、原子力の沸騰水型原子炉（ＢＷＲ）に関し、より具体的には、格納容器ベントシステムのためのシステムおよび方法に関する。現場のプラント人員によるモニタリングの必要性なしに、または、システムの初期作動に続いて外部電力を適用する必要性なしに、システムが、長期間にわたり動作させられることが可能であるように、このシステムは、受動的であることが可能である。このシステムは、重大なプラント事故の間の一次格納容器の完全性を保護することが可能である。
【背景技術】
【０００２】
原子力発電事故の間に、原子炉の沸騰水型原子炉（ＢＷＲ）は、放射性物質（ガス、液体、および粒子状物質）が周囲環境へ放出されることを防止するために、一次格納容器構造体１（図１を参照）に大部分を依存している。しかし、近代史において、３つの重大な原子力事故（チェルノブイリ、スリーマイル島、および福島）は、原子力プラントの一次格納容器構造体からの放射性物質の放出を必要とした。
【０００３】
また、従来では、ＢＷＲ原子炉２のウェットウェル４（ＢＷＲのドライウェル８と圧力抑制プール６との間のスペース）に接続されているベンティングシステム１０は、重大なプラント事故（たとえば、炉心の部分的なメルトダウン、または完全なメルトダウンなど）の間に、原子炉２から蒸気を放出させ、圧力を解放するために使用することが可能である。従来のベンティングシステム１０は、内側および外側格納容器隔離弁（ＣＩＶ）３ａ／３ｂを備えるウェットウェルベントライン１２を含むことが多く、内側および外側格納容器隔離弁（ＣＩＶ）３ａ／３ｂは、一次格納容器１の過大加圧が、環境への放射性物質の放出に発展し得る構造的損傷を引き起こす可能性がある期間に、蒸気をウェットウェル４から直接的に大気へベントするために使用される。しかし、従来のベンティングシステム１０は、システム１０が一般的に連続的な現場モニタリングを必要とするときに（複数の高い優先度の要求が存在し得るときに）、真にプラント人員を支援するには不十分である可能性がある。たとえば、従来のベンティングシステム１０は、現場のプラント人員が内側および外側格納容器隔離弁（ＣＩＶ）３ａ／３ｂ（それらは、ウェットウェル４からの蒸気を排出させるように作用する）を開閉させることを必要とし、現場のプラント人員は、重大なプラント事故の間にプラント条件が変化するときに、必ず対処することを必要とされる。
【先行技術文献】
【特許文献】
【０００４】
【特許文献１】米国特許第５２２７１２７号明細書
【発明の概要】
【０００５】
例示的な実施形態は、原子力の沸騰水型原子炉（ＢＷＲ）に関する格納容器ベントシステムのためのシステムおよび方法を提供する。現場のプラント人員を介した連続的な格納容器圧力モニタリング（または、受動モードへのシステムの初期作動に続いて外部電力を適用すること）の必要性なしに、原子炉の一次格納容器から放射性のガス状排出物をベントおよび洗浄する機能を果たし得るように、このシステムは、受動的であることが可能である。このシステムは、重大なプラント事故の間の一次格納容器の完全性に対して使用することが可能である。
【０００６】
例示的な実施形態の上記の特徴および利点および他の特徴および利点は、添付の図面を参照して、詳細に例示的な実施形態を説明することによって、より明らかになることとなる。添付の図面は、例示的な実施形態を示すことを意図しており、意図される特許請求の範囲を限定するように解釈されるべきではない。添付の図面は、明示的に記載されていなければ、縮尺通りに描かれているものとして考慮されるべきではない。
【図面の簡単な説明】
【０００７】
【図１】原子力の沸騰水型原子炉（ＢＷＲ）ウェットウェルの従来のベンティングシステムのダイアグラムである。
【図２】ある例示的な実施形態による格納容器ベントシステムのダイアグラムである。
【図３】ある例示的な実施形態による別の格納容器ベントシステムのダイアグラムである。
【図４】ある例示的な実施形態による別の格納容器ベントシステムのダイアグラムである。
【図５】ある例示的な実施形態による任意選択のベントフィルターの図である。
【図６】ある例示的な実施形態による、格納容器ベントシステムを作製および使用する方法のフローチャートである。
【発明を実施するための形態】
【０００８】
詳細な例示的な実施形態が、本明細書で開示されている。しかし、本明細書で開示されている特定の構造的および機能的な詳細は、単に、例示的な実施形態を説明する目的のために代表しているに過ぎない。しかし、例示的な実施形態は、多くの代替的な形態で具現化することが可能であり、本明細書に記載されている実施形態だけに限定されるものとして解釈されるべきでない。
【０００９】
したがって、例示的な実施形態は、様々な修正例および代替的な形態とすることが可能であるが、その実施形態は、例として図面に示されており、本明細書で詳細に説明されることとなる。しかし、例示的な実施形態を、開示されている特定の形態に限定する意図はなく、それとは対照的に、例示的な実施形態は、例示的な実施形態の範囲に入るすべての修正例、均等物、および代替例をカバーするべきであるということが理解されるべきである。同様の数字は、図の説明の全体を通して、同様のエレメントを指す。
【００１０】
第１の、第２のなどの用語は、本明細書で様々なエレメントを説明するために使用されている可能性があるが、これらのエレメントは、これらの用語によって限定されるべきではないということが理解されよう。これらの用語は、単に、一方のエレメントを別のエレメントと区別するために使用されている。たとえば、例示的な実施形態の範囲から逸脱することなく、第１のエレメントは、第２のエレメントと呼ぶことが可能であり、同様に、第２のエレメントは、第１のエレメントと呼ぶことが可能である。本明細書で使用される場合、「および／または」の用語は、関連のリストアップされている項目のうちの１つまたは複数の任意の組み合わせおよびすべての組み合わせを含む。
【００１１】
エレメントが、別のエレメントに「接続されている」または「連結されている」と称されるとき、それは、他のエレメントに直接的に接続もしくは連結され得るか、または、介在するエレメントが存在し得るということが理解されよう。それとは対照的に、エレメントが、別のエレメントに「直接的に接続されている」または「直接的に連結されている」と称されるときには、介在するエレメントの存在はない。エレメント同士の間の関係を説明するための他の語句は、同様の方式で解釈されるべきである（たとえば、「の間に」対「の間に直接的に」、「隣接して」対「直接的に隣接して」など）。
【００１２】
本明細書で使用されている専門用語は、特定の実施形態を説明する目的だけのためのものであり、例示的な実施形態を限定することは意図していない。本明細書で使用される場合、単数形の「１つの（ａ）」、「１つの（ａｎ）」、および、「前記（ｔｈｅ）」は、文脈で明確に別のことが指示されていない限り、複数形も含むということを意図している。「含む（ｃｏｍｐｒｉｓｅｓ）」、「含む（ｃｏｍｐｒｉｓｉｎｇ）」、「含む（ｉｎｃｌｕｄｅｓ）」、および／または「含む（ｉｎｃｌｕｄｉｎｇ）」の用語は、本明細書の中で使用されているときには、述べられている特徴、整数、ステップ、動作、エレメント、および／またはコンポーネントの存在を特定するが、１つまたは複数の他の特徴、整数、ステップ、動作、エレメント、コンポーネント、および／または、それらのグループの存在または付加を排除しないということがさらに理解されよう。
【００１３】
また、いくつかの代替的な実装形態では、記述されている機能／作用は、図に示されている順序から外れて起こることが可能であるということが留意されるべきである。たとえば、連続して示されている２つの図は、実際に、実質的に同時に実行することが可能であり、または、関連する機能性／作用に応じて、逆の順序で実行することが可能である場合もある。
【００１４】
図２は、ある例示的な実施形態による格納容器ベントシステム１００のダイアグラムである。格納容器ベンティングシステム１００は、格納容器ベントライン１０１を含むことが可能であり、格納容器ベントライン１０１は、ＢＷＲ原子炉２のウェットウェル４に流体接続されている。具体的には、格納容器ベントライン１０１は、既存のウェットウェルベントライン１２に接続することが可能である。より具体的には、格納容器ベントライン１０１は、内側ＣＩＶ３ａの上流で、既存のウェットウェルベントライン１２につなぐことが可能である。
【００１５】
内側および外側格納容器弁１０２ａ／１０２ｂは、格納容器ベントライン１０１の中に含まれ得る。格納容器弁１０２ａ／１０２ｂは、（空気アクチュエーターを備える）ボール弁、（空気アクチュエーターを備える）バタフライ弁、（モーターアクチュエーションを備える）バタフライ弁、または、原子力サービスに適切な他のタイプの弁とすることが可能である。格納容器弁１０２ａ／１０２ｂを開けることによって、プラント人員は、格納容器ベントシステム１００を作動させる（特に、事故後の状況において、システム１００を「受動モード」に置く）ことが可能である。重大なプラント事故の進行が、（避けることのできない一次格納容器１の過大加圧を防止するために）一次格納容器１のベンティングを最終的に必要とし得るということを、プラント人員が認識した時点で、格納容器弁１０２ａ／１０２ｂの開放が起こることとなる可能性が最も高い。格納容器弁１０２ａ／１０２ｂの開放に続いて、システム１００は、さらなるプラント人員の介入なしに、スタンバイ状態の自動制御（すなわち、受動）モードで受動的に機能することが可能であり、それによって、一次格納容器１の完全性を確保する。
【００１６】
また、高圧設定点ラプチャーディスク１０４が、内側／外側格納容器弁１０２ａ／ｂの下流で、格納容器ベントライン１０１の中に含まれ得る。高圧設定点ラプチャーディスク１０４は、一次格納容器１に関する設計圧力、一次格納容器圧力制限（ＰＣＰＬ）、または、原子力プラントの詳細にふさわしい別の高い設定圧力の、破裂設定圧力を有することが可能である。破裂設定圧力は、ディスク１０４が設定圧力で自動的に破裂することを引き起こすことが可能である。また、バイパス弁１０６は、高圧設定点ラプチャーディスク１０４と並列に、格納容器ベントライン１０１の中に含まれ得る。バイパス弁１０６は、プラント人員が、高圧設定点ラプチャーディスク１０４の設定点圧力よりも低い圧力でベントすることを可能にすることができる。
【００１７】
また、高圧設定点ラプチャーディスク１０４の下流において、低圧設定点ラプチャーディスク１０８を、格納容器ベントライン１０１の中に設けることが可能である。低圧設定点ラプチャーディスク１０８は、約３ｐｓｉｇの破裂設定圧力（または、原子力プラントの詳細にふさわしい、高圧設定点ラプチャーディスク１０４の高い設定圧力よりも低い別の低い設定圧力）を有することが可能であり、ディスク１０８がこの圧力で自動的に破裂することを引き起こす。低圧設定点ラプチャーディスク１０８は、単に、システム１００を保護するために設けられ得る。
【００１８】
高圧設定点ラプチャーディスク１０４および低圧設定点ラプチャーディスク１０８の下流において、任意選択の放射線モニター１１０を、格納容器ベントライン１０１の中に設けることが可能である。放射線モニター１１０は、格納容器ベントシステム１００が放射性蒸気をベントしているという遠隔指示をプラント人員に提供することが可能である。この情報は、重大な事故の間に現場に留まるプラント人員にとって有用である可能性がある。
【００１９】
格納容器ベントライン１０１には、一次格納容器１から遠隔の場所で排出する排出点１１４を設けることが可能である。好ましくは、排出点１１４は、地面の十分に上方に、および、プラント人員から離れるように、上昇させることが可能である。たとえば、格納容器ベントライン１０１は、原子炉建屋屋上１１２を突き抜け（または、原子炉建屋の外側のどこかへ導かれ）、原子炉建屋（それは、一次格納容器１を収容している）の外側に存在し得る排出点１１４をシステム１００に提供することが可能である。
【００２０】
図２は、ウェットウェルベントライン１２に接続されている（および、したがって、ウェットウェル４に流体連通している）格納容器ベントライン１０１を示しているが、格納容器ベントライン１０１は、代替的に、一次格納容器１のドライウェル８に流体接続することが可能であるということが理解されるべきである（そして、この任意選択の実施形態は、以下に説明されている図面のすべてに適用する）。
【００２１】
図３は、ある例示的な実施形態による別の格納容器ベントシステム１００のダイアグラムである。システム１００は、格納容器ベントライン１０１は、内側および外側ＣＩＶ３ａ／３ｂの間において既存のウェットウェルベントライン１２につなぐことが可能であるということを除いて、図２に示されているシステム１００と同一であることが可能である。格納容器ベントライン１０１は、内側ＣＩＶ３ａの下流で既存のウェットウェルベントライン１２に接続しているので、単一の格納容器弁（外側格納容器弁１０２ｂ）だけが、格納容器ベントライン１０１の中に含まれることが必要とされる。
【００２２】
また、格納容器ベントライン１０１は、任意選択で、（図３に示されているように、内側および外側ＣＩＶ３ａ／３ｂの間というよりも、）内側および外側ＣＩＶ３ａ／３ｂの両方の上流で、ウェットウェルベントラインにつなぐことが可能であるということが留意されるべきである。この任意選択の構成を使用して、高圧設定点ラプチャーディスク１０４は、（小さいマージンだけ）一次格納容器１の設計圧力の直ぐ上に設定することが可能であり、（格納容器弁１０２ｂを開けることによって）システム１００が一旦「受動モード」に置かれると、一次格納容器１が、究極的な故障から保護されることとなるようになっている。
【００２３】
図４は、ある例示的な実施形態による別の格納容器ベントシステム１００のダイアグラムである。具体的には、この実施形態は、上記に説明されている実施形態のいずれかの修正例とすることが可能である（図４は、１つの実際の実施例として、図２の修正例として示されているが）。この修正例は、低圧設定点ラプチャーディスク１０８の上流に、ベントフィルター１１６の介在を含むことが可能である（図５および以下の説明を参照）。低圧設定点ラプチャーディスク１０８の上流にフィルター１１６を設置することは、フィルター１１６が任意の窒素ブランケット（ｎｉｔｒｏｇｅｎ  ｂｌａｎｋｅｔ）の中に含まれることを可能にし、窒素ブランケットは、システム１００を受動化させるために使用することが可能である。
【００２４】
また、この修正された実施形態は、随意的なフィルター１１６の上流に放射線モニター１１０を位置付け、システム１００のベンティングの正確なモニタリングを確実にすることを含むことが可能である。
【００２５】
図５は、ある例示的な実施形態による任意選択のベントフィルター１１６である。ベントフィルター１１６は、低圧設定点ラプチャーディスク１０８の上流において、格納容器ベントライン１０１の中に含まれ得る（図４を参照）。ベントフィルター１１６は、ウェットフィルター１１８を含むことが可能であり、ウェットフィルター１１８は、水および化学添加剤で部分的に充填されたタンクとすることが可能であり、それは、システム１００を介してベントされている蒸気を洗浄することが可能である。とりわけ、化学添加剤は、ベントされた蒸気の中に同伴されているヨウ素および他の有害な放射性物質を保持するために含まれ得る。ウェットフィルター１１８は、蒸気排出の中に含まれている液体を除去し得る随意的な湿分分離器を含むことが可能である。
【００２６】
図６は、ある例示的な実施形態による格納容器ベントシステム１００を作製および使用する方法のフローチャートである。この方法は、格納容器ベントライン１０１をＢＷＲ原子炉２のウェットウェル４に流体接続させるステップＳ２００を含むことが可能である。図２および図３に示されているように、格納容器ベントライン１０１（それは、パイピングまたはチュービングとすることが可能である）を内側ＣＩＶ３ａの上流で既存のウェットウェルベントライン１２に接続することによって、または、格納容器ベントライン１０１を内側および外側ＣＩＶ３ａ／３ｂの間で既存のウェットウェルベントライン１２に接続することによって、この接続が生じることが可能である。ステップＳ２０２は、１つまたは複数の格納容器弁１０２ａ／１０２ｂを格納容器ベントライン１０１の中に挿入することを含むことが可能である。ステップＳ２０４は、１つまたは複数の圧力作動式のデバイス（たとえば、ラプチャーディスク１０４／１０８など）を格納容器ベントライン１０１の中へ挿入することを含むことが可能である。ステップＳ２０６は、一次格納容器１から遠隔の場所に、格納容器ベントライン１０１のための排出点１１４を設けることを含むことが可能である。遠隔の場所は、好ましくは、地面の上のプラント人員より高い場所（たとえば、原子炉建屋の屋上など）において、原子炉建屋の外側とすることが可能である。
【００２７】
格納容器ベントシステム１００を使用するために、ステップＳ２０８は、格納容器弁１０２ａ／１０２ｂを開け、最初に格納容器ベントシステム１００を作動させることを含むことが可能である。このステップは、システム１００が「受動モード」の状態で自動制御することを可能にするために、重大なプラント事故の早期の段階で行われる可能性があるということが理解されるべきである。システム１００を「受動モード」の状態に置くことによって、プラント人員は、事故を緩和するために重要な機器を使用するその能力が足りなくなる可能性はないということを確信することが可能である。また、「受動モード」は、プラント人員が連続的に格納容器圧力をモニタリングする必要なしに、および、遠隔操作ステーションにいるステーション人員に対する必要性（たとえば、その後になってＣＩＶ３ａ／３ｂを開けること）なしに、一次格納容器１の完全性のプラント人員を確保することが可能である。格納容器弁１０２ａ／１０２ｂの開放に続いて、システム１００は、１つまたは複数の圧力作動式のデバイス１０４／１０８が適当な設定点圧力を超えるライン圧力を受けた後にのみ、ウェットウェル４からの流体がベントされることを可能にすることによって、自動制御することが可能である。また、「受動モード」では、（「受動モード」へのシステム１００の初期作動に続いて、）この受動的な自動制御システム１００を動作させるために、外部電力が必要とされない（それは、重大なプラント事故の場合にとりわけ有利である）ということが理解されるべきである。
【００２８】
例示的な実施形態がそのように説明されてきたが、同じものが、多くの方式で変形し得るということが明らかであろう。そのような変形例は、例示的な実施形態の意図される趣旨および範囲からの逸脱としてみなされるべきではなく、当業者に自明であるようなすべてのそのような修正例は、以下の特許請求の範囲の中に含まれていることが意図されている。
【符号の説明】
【００２９】
１  一次格納容器
２  ＢＷＲ原子炉
３ａ  内側格納容器隔離弁（ＣＩＶ）
３ｂ  外側格納容器隔離弁（ＣＩＶ）
４  ウェットウェル
６  圧力抑制プール
８  ドライウェル
１０  ベンティングシステム
１２  ウェットウェルベントライン
１００  格納容器ベントシステム
１０１  格納容器ベントライン
１０２ａ  内側格納容器弁
１０２ｂ  外側格納容器弁
１０４  高圧設定点ラプチャーディスク
１０６  バイパス弁
１０８  低圧設定点ラプチャーディスク
１１０  放射線モニター
１１２  原子炉建屋屋上
１１４  排出点
１１６  ベントフィルター
１１８  ウェットフィルター
Ｓ２００  ステップ
Ｓ２０２  ステップ
Ｓ２０４  ステップ
Ｓ２０６  ステップ
Ｓ２０８  ステップ
【図１】
0006352942.tif 000002
【図２】
0006352942.tif 000003
【図３】
0006352942.tif 000004
【図４】
0006352942.tif 000005
【図５】
0006352942.tif 000006
【図６】
0006352942.tif 000007